(57)【要約】【課題】ごみ箱を別の場所に配設する必要がなく、しかも、拭き取り作業が楽に行える収納容器を提供する。【解決手段】略水平に配設された底板１６と、この底板１６の前端部から後方に向かって一定の傾斜角θで上り傾斜状に傾斜する傾斜板２０とを備えている。そして、上記傾斜板２０に、鏡部と、上側凹部２３と、下側凹部２４とを形成している。【選択図】図６
2005052373.tif 000002
【特許請求の範囲】
【請求項１】
略水平に配設された底部材と、この底部材の前端部から後方に向かって一定の傾斜角θで上り傾斜状に傾斜する傾斜板部とを備え、上記傾斜板部に、鏡部と、化粧補助具を収納する補助具収納凹部と、ごみを収納するごみ収納凹部とを形成したことを特徴とする収納容器。
【請求項２】
上記傾斜板部に、上から順に鏡部，補助具収納凹部，ごみ収納凹部，鏡部が上下に一列に設けられている請求項１記載の収納容器。
【請求項３】
上記両凹部の底面部が、上記傾斜板部と略平行に形成されている請求項１または２記載の収納容器。
【請求項４】
上記化粧補助具がティッシュペーパーもしくはコットンである請求項１〜３のいずれか一項に記載の収納容器。
【発明の詳細な説明】
【技術分野】
【０００１】
本発明は、ティッシュペーパー，コットン等の化粧補助具を収納する収納容器に関するものである。
【背景技術】
【０００２】
従来から、ファンデーション，口紅等の各種化粧料を店頭等に陳列するための陳列台として、各種の陳列台が用いられている。例えば、季節ごとのプロモーション期間中や新シリーズの発表期間中等において、多種類の化粧料を陳列するものとして、図２３に示すように、第１および第２の陳列面５３，５４を有する陳列部５１と、この陳列部５１を支受するパイプフレーム５２とからなり、上記第１の陳列面５３にメイクアップカラー化粧料（商品）（図示せず），メイクアップカラーテスター５５等を陳列し、第２の陳列面５４に口紅化粧料（商品）（図示せず），口紅テスター５６等を陳列するようにした物品陳列台が提案されている。また、この物品陳列台では、上記第２の陳列面５４の上端部に鏡５７を取り付け、この鏡５７で、テスター５５，５６を塗布した顔を見ることができるようにしており、上記パイプフレーム５２の上端部に、コットン（図示せず）を収納したケース５８を取り付け、上記コットンで、テスター５５，５６を使用したあとの拭き取りを行うようにしている。また、拭き取ったコットンを、別に用意したごみ箱（図示せず）に捨てるようにしている（例えば、特許文献１）。図において、５９は表示パネルである。このような、コットン等の各種化粧補助具の使用は、家庭内等においても、鏡台等や、この鏡台等の近くにあるごみ箱等を利用して行われている。
【特許文献１】特開２０００−２３８０５号公報
【発明の開示】
【発明が解決しようとする課題】
【０００３】
しかしながら、上記の物品陳列台では、ごみ箱を、物品陳列台とは別の場所に配設する必要があるうえ、ゴミ箱をパイプフレーム５２の近くに配設する場合には、顧客の邪魔になり、パイプフレーム５２から離れて配設する場合には、ごみ捨てに不便である。また、鏡５７と、コットンを収納したケース５８とが離れて取り付けられているため、テスター５５，５６を塗布したあとで拭き取りを行う際に、鏡５７から目を外し、ケース５８（すなわち、コットン）がある場所を探さなければならず、面倒である。しかも、ケース５８を垂直方向に取り付けているため、ケース５８からコットンを取り出す際には、手をケース５８の真上まで延ばしてから、コットンの上端部分を摘まみ、コットンを上方に持ち上げて手前側に移動させなければならず、さらに面倒である。
【０００４】
本発明は、このような事情に鑑みなされたもので、ごみ箱を別の場所に配設する必要がなく、しかも、テスター化粧料の塗布や拭き取り作業が楽に行える収納容器の提供をその目的とする。
【課題を解決するための手段】
【０００５】
上記の目的を達成するため、本発明の収納容器は、略水平に配設された底部材と、この底部材の前端部から後方に向かって一定の傾斜角θで上り傾斜状に傾斜する傾斜板部とを備え、上記傾斜板部に、鏡部と、化粧補助具を収納する補助具収納凹部と、ごみを収納するごみ収納凹部とを形成したという構成をとる。
【発明の効果】
【０００６】
すなわち、本発明の収納容器では、これを構成する傾斜板部に、鏡部と、化粧補助具を収納する補助具収納凹部と、ごみを収納するごみ収納凹部とを形成しているため、ごみ収納凹部に直接ごみを捨てることで、もしくはごみ収納凹部にごみ箱を収納することで、ごみを捨てるためのスペースを本発明の収納容器と一体的に設けることができ、別の場所に設ける必要がなくなるうえ、他物の邪魔になることがなく、ごみ捨てに便利である。しかも、補助具収納凹部とごみ収納凹部とが非常に近くにあるため、使用済みの化粧補助具を捨てるのに便利である。しかも、鏡部と補助具収納凹部とが非常に近くにあるため、テスター等を塗布したあとで拭き取りを行う際に、鏡部から目を外すと、すぐに化粧補助具を見つけることができる。しかも、傾斜板部に補助具収納凹部を形成しているため、化粧補助具を補助具収納凹部から取り出す際に、化粧補助具の斜め前方に手を伸ばして化粧補助具の上端部を摘まみ、そのまま化粧補助具を斜め上方に持ち上げるだけでよく、取り出し作業が簡単である。なお、本発明において、化粧補助具とは、ティッシュペーパー，コットン，スポンジパフ，綿棒等のように、化粧料を塗布したり拭き取ったりするために用いるものを指す。また、本発明では、ごみ収納凹部に直接にごみを捨ててもよいし、ごみ収納凹部にごみ箱を収納し、このごみ箱にごみを捨ててもよい。
【０００７】
また、上記傾斜板部に、上から順に鏡部，補助具収納凹部，ごみ収納凹部，鏡部が上下に一列に設けられていると、上側の鏡部と補助具収納凹部とが非常に近くにあり、また、ごみ収納凹部と鏡部とが非常に近くにあるため、化粧補助具の使用の際や使用済みの化粧補助具の廃棄の際に、鏡と補助具収納凹部もしくはごみ収納凹部とをよく見ることができ、便利である。
【０００８】
また、上記両凹部の底面部が、上記傾斜板部と略平行に形成されていると、補助具収納凹部およびごみ収納凹部が使用者に対し対面状に配置されるため、使用しやすくなる。
【発明を実施するための最良の形態】
【０００９】
つぎに、本発明の実施の形態を図面にもとづいて詳しく説明する。
【００１０】
図１は本発明の収納容器の実施の形態を用いた陳列装置を示している。図において、１は陳列台（この陳列装置では、６個の陳列台１を用いている）であり、各陳列台１にファンデーション，口紅等の各種化粧料（商品やテスター）２が陳列，展示されている。３は本発明の収納容器の一実施の形態であるティッシュペーパー収納箱（図２参照）であり、４は本発明の収納容器の他の実施の形態であるコットン収納箱（図３参照）であり、５は鏡である。
【００１１】
上記ティッシュペーパー収納箱３は、図２および図４〜図６に示すように、略二等辺直角三角形状の箱体に形成された箱本体１１と、上下一対の鏡１２，１３と、蓋板１４と、ごみ箱１５とを備えている。
【００１２】
上記箱本体１１は、略水平に形成された長方形状の底板１６（底部材）と、この底板１６の後端部から略垂直に上向きに延びる長方形状（上記底板１６と略同形状）の後板１７と、略二等辺三角形状に形成された左右両側板１８，１９と、底板１６の前端部から後方に向かって一定の傾斜角θ（この実施の形態では、 ４５度程度）（図４参照）で上り傾斜状に延びて後板１７の上端部に達する（すなわち、底板１６と後板１７と左右両側板１８，１９とで形成される略二等辺直角三角形状の箱体の上面開口を蓋する）長方形状の薄肉平板体からなる傾斜板（傾斜板部）２０と、前側下端板２１とを備えている。
【００１３】
上記傾斜板２０には、図７および図８に示すように、その上端部上面および下端部上面に上記両鏡１２，１３がそれぞれ接着、固定されており、これにより上記傾斜板２０の上端部および下端部に上下一対の鏡部が設けられている。また、上記傾斜板２０の、両鏡１２，１３間の部分には、凹部が形成されており、この凹部が仕切板２２で上下に仕切られて、上側凹部（補助具収納凹部）２３と下側凹部（ごみ収納凹部）２４とが形成されている。上記上側凹部２３には、多数のティッシュペーパー（化粧補助具）（図示せず）を収容するティッシュペーパー収容箱２５（図６参照）が収納されており、上記下側凹部２４には、使用済みのティッシュペーパー等、各種のごみ（図示せず）を捨てるごみ箱１５が収納されている。また、上記両凹部２３，２４の底板２３ａ，２４ａは上記両凹部２３，２４の上端開口面（すなわち、左右両側板１８，１９の傾斜辺）と平行に形成されている。図６〜図８において、２６は上記上側凹部２３の左右両側に対応する上記左右両側板１８，１９の部分に設けた棒状補強部材である。
【００１４】
上記蓋板１４は、図２、図９および図１０に示すように、長方形状の平板体で構成されており、その中央部にティッシュペーパー取出口１４ａが穿設されている。また、上記蓋板１４の裏面の左右両側部から、上記上側凹部２３の上面開口部に着脱自在に内嵌状に係合する左右一対の突条１４ｂが突設されている。
【００１５】
ごみ箱１５は、図１１〜図１５に示すように、上面開口を有する四角形状の箱本体２８と、この箱本体２８の後端部にコイルバネ１５ａを介してヒンジ連結され上記箱本体２８の上面開口を開閉自在に蓋する蓋板２９とからなり、上記箱本体２８の前端部に、蓋板２９を支受する突起２８ａが突設されている。図１１〜図１５において、２９ａは蓋板２９に設けた摘み部である。
【００１６】
一方、上記コットン収納箱４は、図３および図１６〜図１８に示すように、略二等辺直角三角形状の箱体に形成された箱本体３１と、上記両鏡１２，１３と同様の鏡３２，３３と、蓋板３４と、上記ごみ箱１５と同構造に作製されたごみ箱３５とを備えている。
【００１７】
上記箱本体３１は、略水平に形成された長方形状の底板３６（底部材）と、この底板３６の後端部から略垂直に上向きに延びる長方形状（上記底板３６と略同形状）の後板３７と、略二等辺三角形状に形成された左右両側板３８，３９と、底板３６の前端部から後方に向かって一定の傾斜角θ（この実施の形態では、 ４５度程度）（図１６参照）で上り傾斜状に延びて後板３７の上端部に達する（すなわち、底板３６と後板３７と左右両側板３８，３９とで形成される略二等辺直角三角形状の箱体の上面開口を蓋する）長方形状の薄肉平板体からなる傾斜板（傾斜板部）４０と、前側下端板４１とを備えている。
【００１８】
上記傾斜板４０には、図１９および図２０に示すように、その上端部上面および下端部上面に上記両鏡３２，３３がそれぞれ接着、固定されており、これにより上下一対の鏡部が設けられている。また、上記傾斜板４０の、両鏡３２，３３間の部分には、凹部が形成されており、この凹部が仕切板４２で上下に仕切られて、上側凹部（補助具収納凹部）４３と下側凹部（ごみ収納凹部）４４とが形成されている。上記上側凹部４３には、上側横向き仕切板４５ａ、中間横向き仕切板４５ｂ、下側横向き仕切板４５ｃおよび一対の上側縦向き仕切板４６ａ、一対の中間縦向き仕切板４６ｂ、下側縦向き仕切板４６ｃ、最下側縦向き仕切板４６ｄにより、多数のコットンやスポンジパフ（化粧補助具）（図示せず）を収容する複数の凹部４７が形成されている。また、上記下側凹部４４には、使用済みのコットン、スポンジパフ等、各種のごみ（図示せず）を捨てるごみ箱３５が収納されている。また、上記両凹部４３，４４の底板４３ａ，４４ａは上記両凹部４３，４４の上端開口面（すなわち、左右両側板３８，３９の傾斜辺）と平行に形成されている。
【００１９】
上記蓋板３４は、図２１および図２２に示すように、長方形状の平板体で構成されており、その中央部に摘み３４ａが突設されている。また、上記蓋板３４の裏面の左右両側部から、上記上側凹部４３の上面開口部に着脱自在に内嵌状に係合する左右一対の突条３４ｂが突設されている。
【００２０】
上記のように、この実施の形態では、下側凹部２４，４４にごみ箱１５，３５を収納しているため、陳列装置とは別の場所にごみ箱１５，３５を設ける必要がない。しかも、鏡１２，１３，３２，３３のすぐ近くに上下両凹部２３，２４，４３，４４を設けているため、ティッシュペーパー，コットンを探したり、使用済みのティッシュペーパー，コットンを捨てたりするのに非常に便利である。しかも、傾斜板２０，４０に上側凹部２３，４３を設けているため、ティッシュペーパー，コットンを取り出しやすい。
【００２１】
なお、上記両実施の形態では、傾斜板２０，４０を薄肉平板体で構成し、この薄肉平板体自体に凹部を形成することにより、上下両凹部２３，２４，４３，４４を形成しているが、これに限定するものではなく、傾斜板２０，４０を厚肉平板体で構成し、この上面に上下両凹部４３，４４を穿設するようにしてもよい。また、上記両実施の形態では、傾斜板２０，４０の傾斜角度を４５度程度に設定しているが、収納する化粧補助具の種類や設置場所によって適宜角度設定することができる。ただし、鏡１２，１３，３２，３３の見やすさ、化粧補助具の取り出しやすさ、捨てやすさ等を考慮すると、傾斜角度を４０〜７０度に設定することが好ましい。また、上記両実施の形態では、上記傾斜板２０，４０に、上から順に、鏡部、上側凹部２３，４３、下側凹部２４，４４、鏡部を形成しているが、どのような順序で並べてもよいし、鏡部は１つでもよい。また、上記両実施の形態において、底板１６，３６にかえて、棒状体等の各種部材を使用することができるし、傾斜板２０，４０の下端部の全体を支受する必要はなく、中央だけもしくは左右両側だけを支受してもよい。
【図面の簡単な説明】
【００２２】
【図１】本発明の収納容器の実施の形態を用いた陳列装置を示す斜視図である。
【図２】本発明の収納容器の一実施の形態を示すティッシュペーパー収納箱の斜視図である。
【図３】本発明の収納容器の他の実施の形態を示すコットン収納箱の斜視図である。
【図４】上記ティッシュペーパー収納箱の側面図である。
【図５】上記ティッシュペーパー収納箱の正面図である。
【図６】上記ティッシュペーパー収納箱の断面図である。
【図７】箱本体の正面図である。
【図８】上記箱本体の断面図である。
【図９】蓋板の平面図である。
【図１０】上記蓋板の断面図である。
【図１１】ごみ箱の平面図である。
【図１２】上記ごみ箱の正面図である。
【図１３】上記ごみ箱の背面図である。
【図１４】上記ごみ箱の断面図である。
【図１５】上記ごみ箱の作用を示す断面図である。
【図１６】上記コットン収納箱の側面図である。
【図１７】上記コットン収納箱の正面図である。
【図１８】上記コットン収納箱の断面図である。
【図１９】箱本体の正面図である。
【図２０】上記箱本体の断面図である。
【図２１】蓋板の平面図である。
【図２２】上記蓋板の断面図である。
【図２３】従来例の正面図である。
【符号の説明】
【００２３】
１６    底板
２０    傾斜板
２３    上側凹部
２４    下側凹部
【図１】
2005052373.tif 000003
【図２】
2005052373.tif 000004
【図３】
2005052373.tif 000005
【図４】
2005052373.tif 000006
【図５】
2005052373.tif 000007
【図６】
2005052373.tif 000008
【図７】
2005052373.tif 000009
【図８】
2005052373.tif 000010
【図９】
2005052373.tif 000011
【図１０】
2005052373.tif 000012
【図１１】
2005052373.tif 000013
【図１２】
2005052373.tif 000014
【図１３】
2005052373.tif 000015
【図１４】
2005052373.tif 000016
【図１５】
2005052373.tif 000017
【図１６】
2005052373.tif 000018
【図１７】
2005052373.tif 000019
【図１８】
2005052373.tif 000020
【図１９】
2005052373.tif 000021
【図２０】
2005052373.tif 000022
【図２１】
2005052373.tif 000023
【図２２】
2005052373.tif 000024
【図２３】
2005052373.tif 000025